(57)【要約】【課題】クロマチックハーモニカにおいては、同じ吹き音に対し異なる吸音が組合わせになっている吹き口が、隣り同士並んで配置されていて、演奏中は目で吹き口番号を見ることが出来ないので、この区別がつきにくく演奏するには熟練と経験が必要としていたが、唇で特定の吹き口の位置を感知出来るようにして、間違いのない演奏が出来るようにする。【解決手段】特定の吹き口１，２，３に近接して、唇で感知出来るふくらみ等の細工４を設けることにより、特定の吹き口の位置を唇の触覚で感知出来るため、演奏中、ハーモニカを咥えたままでも、間違いのない音出しが出来、演奏力の向上がはかれる。【選択図】図１
0003166495.tif 000002
【実用新案登録請求の範囲】
【請求項１】
基本音等特定の吹き口に近接してふくらみ等の細工を設けたことを特徴とするクロマチックハーモニカ。
【請求項２】
唇の触覚で特定の吹き口の位置を感知出来るように、唇が触する面に、ふくらみ、突起、穴、くぼみ、溝、ザラザラな部分等の細工を備えたことを特徴とするクロマチックハーモニカ。
【請求項３】
基本音等特定の吹き口の中心線延長線上に位置し、唇が接触する面に、ふくらみ、突起、穴、くぼみ、溝、ザラザラな部分等、唇の触覚で感知出来る細工を備えたことを特徴とするクロマチックハーモニカ。
【考案の詳細な説明】
【技術分野】
【０００１】本考案は、半音切り替え可能な、クロマチックハーモニカに関するものである。
【背景技術】
【０００２】従来、クロマチックハーモニカにおいて、吹き口の位置を知るためには、吹き口に対応した番号を目で見て確認する方法であった。
【先行技術文献】
【特許文献】
【０００３】
【特許文献１】実登  ３０１１８４１
【非特許文献】
【０００４】
【非特許文献１】米抄  ５４１３０２１
【考案の概要】
【考案が解決しようとする課題】
【０００５】  一般にクロマチックハーモニカは、図１に示す半音切り替えレバー７を移動させる操作により半音切り替えが可能となっている構造のハーモニカで、構造は、図１、図２に示すように、ハーモニカ本体９、カバー８、吹き口部品１０、半音切り替えレバー７で構成されている。【０００６】  またクロマチックハーモニカの音の配列は、図４に示すように、１つの吹き口に吹吸で鳴る音に加えて、図１に示すように半音切り替えレバー７をｃの距離を移動させる操作により、空気の通路を変えて、その半音高い音が出せるような構造になっている。【０００７】  吹き口の配列は、図３に示すように、カバー８に刻印された吹き口番号ｎに対応して、吹吸音の組合せになってドレ、ミファ、ソラ、シドと並んでいるが、組合せ上、
0003166495.tif 000003
口と、ドとレが出る吹き口が隣り合って存在する。つまり、これらの吹き口は吹音はどちらもドで同じ音であるが、吸音は、シとレで音が異なっている。【０００８】  ドを吹く場合どちらの吹き口かを正確に把握してないと、次に出す音が正確に出せなくなるので、演奏者にとってはどちらの吹き口かは経験と勘で判断するしかなく、初心者はもとよりベテラン演奏者としても演奏上達の大きな壁となっていた。【０００９】  従来は、ハーモニカのカバー８に吹き口番号ｎが刻印されているが、演奏中は口でハーモニカを咥えているので目で見ることは出来ず、吹き口の位置を確認する必要があるときには、一旦ハーモニカを口から離してその位置を視認して再度ハーモニカを咥えなければならず、その間演奏に乱れが生じることがあり非常に神経を使うので、演奏に集中することが出来ない等の不便があった。
【課題を解決するための手段】
【００１０】  この不便を解消し演奏をやり易くするために、演奏中にハーモニカを咥えたままであっても、特定の吹き口の位置が感知出来るように、唇の接触する面ａに特定の吹き口に近接して、ふくらみ、突起、穴、くぼみ、溝、ザラザラな部分等、唇の触覚で吹き口の位置を感知出来る細工４を設けることにより、前述の課題を解決している。
【考案の効果】
【００１１】  従来は熟練と経験と勘で、特定の吹き口１，２，３の位置を探り当てて演奏していたが、細工４を設けたことにより唇で吹き口の位置が感知出来るので、吹き口を間違えることが無く正確な音を出すことが出来、演奏力の向上がはかれる。【００１２】  初心者には、特定の吹き口１，２，３を正確に捕らえることに熟練と経験を要し、上達のネックになっていたが、唇で位置を感知することが出来るので、正確な音出しが出来、上達の手助けになる。【００１３】  上級者にとっては、演奏中にハーモニカを口に咥えたままで、特定の吹き口の位置を感知出来るので、吹き口を間違えることが無く演奏に集中出来、演奏力が向上する。【００１４】  カバー８に刻印された吹き口番号を見ることの出来ない、目の不自由な視覚障害者にとっては、基準の吹き口を感知出来るので、演奏がやり易くなる。
【図面の簡単な説明】
【００１５】
【図１】本考案に係るハーモニカの第１の実施例を示す平面図である。
【図２】同、側面図である。
【図３】吹き口番号と音の配列説明図である。
【図４】本考案に係るハーモニカに第２の実施例を示す平面図である。
【考案を実施するための形態】
【００１６】  従来のように目で、吹き口の位置を確認するのではなく、演奏中ハーモニカを咥えたままでも、特定の吹き口の位置を感知出来るように、特定の吹き口に近接して、唇の触れる面にふくらみ等の細工４を設ける。
【実施例】
【００１７】  以下、添付図に従って実施例を説明する。図１，図２は本考案の第１の実施例を示し、演奏中にハーモニカを咥えたままであっても、特定の吹き口の位置が感知出来るように、唇が接触する面ａに特定の吹き口に近接して、ふくらみ、突起、穴、くぼみ、溝、ザラザラな部分等、唇の触覚で吹き口の位置を感知出来る細工４を設けた。なお、実施例では、特定の吹き口は、１，２，３と複数で説明してあるが、必要に応じて１個だけでも良い。【００１８】  本考案の実施例では、吹音がド、吸音がレの基本音が出せる、吹き口１，２，３を特定の吹き口として説明する。【００１９】  さらに、特定の吹き口の中心延長線上ｂに細工を配置することにより、唇の先端中央で触覚出来るので特定の吹き口の位置を感知する精度が向上する。【００２０】  図１の実施例では、細工４は、丸いふくらみを示すが、図５に示すように棒状の突起物５、とか複数のふくらみ６でも良い。さらには唇で触覚出来るような、穴、凹み、ミゾ、ギザギザ等でも同様の効果がある。【００２１】  また当然ながら、ふくらみ、突起、穴、くぼみ、溝、ザラザラな部分等の細工４は唇が触れるので、唇接触面ａと同様に形状や表面は十分に滑らかなでなければならない。【００２２】  図４は第２の実施例を示し、複数ある吹き口をそれぞれ特定する場合は、吹き口１には丸いふくらみ、吹き口２は棒状の突起、吹き口３は２個の丸いふくらみ等、細工の形状寸法を変えることにより、区別することが出来る。
【符号の説明】
【００２３】１  特定の吹き口
２  特定の吹き口
３  特定の吹き口
４  丸いふくらみ等の細工
５  棒状の突起の細工
６  ２個の丸いふくらみの細工
７  半音切り替えレバー
８  カバー
９  ハーモニカ本体
１０  吹き口部品
ａ  唇接触面
ｂ  吹き口中心線延長線
ｎ  カバーに刻印された吹き口番号
【図１】
0003166495.tif 000004
【図２】
0003166495.tif 000005
【図３】
0003166495.tif 000006
【図４】
0003166495.tif 000007